(57)【要約】【課題】インバータ装置を含む車両用駆動装置の全体の外形を小型化する。【解決手段】内燃機関に連結される入力部材、車輪に連結される出力部材、回転電機ＭＧ、差動歯車装置、及びインバータ装置３を備えた車両用駆動装置。第一軸Ａ１上に入力部材と回転電機ＭＧとが並んで配置され、第二軸Ａ２上に差動歯車装置が配置される。インバータ装置３が、径方向に見て差動歯車装置と重複するように配置されるとともに、軸方向に見て、第一軸Ａ１と第二軸Ａ２とを通る第一基準線Ｒ１に直交するとともに第一軸Ａ１を通る第二基準線Ｒ２と、第一基準線Ｒ１に直交するとともに第二軸Ａ２を通る第三基準線Ｒ３との間に配置されている。【選択図】図６
2014024489.tif 000002
【特許請求の範囲】
【請求項１】
内燃機関に駆動連結される入力部材と、複数の車輪のそれぞれに駆動連結される複数の出力部材と、回転電機と、前記回転電機の側から伝達される駆動力を複数の前記出力部材に分配する差動歯車装置と、前記回転電機に接続されるインバータ装置とを備えた車両用駆動装置であって、
第一軸を回転軸心として前記入力部材と前記回転電機とが軸方向に並んで配置され、
前記第一軸と平行な別の軸である第二軸を回転軸心として前記差動歯車装置が配置され、
前記インバータ装置の少なくとも一部が径方向に見て前記差動歯車装置と重複するように配置されるとともに、さらにその少なくとも一部が、軸方向に見て、前記第一軸と前記第二軸とを通る仮想直線である第一基準線に直交するとともに前記第一軸を通る仮想直線である第二基準線と、前記第一基準線に直交するとともに前記第二軸を通る仮想直線である第三基準線との間に配置されている車両用駆動装置。
【請求項２】
変速出力ギヤを有する変速機構と、ギヤ機構と、前記回転電機、前記変速機構、前記ギヤ機構、及び前記差動歯車装置を収容するケースとをさらに備え、
前記ケースは、前記内燃機関に接合される接合面を有し、
前記ギヤ機構は、前記変速出力ギヤに噛み合う第一ギヤと、前記差動歯車装置の差動入力ギヤに噛み合いかつ前記第一ギヤよりも小径の第二ギヤとを有するとともに、前記第一軸及び前記第二軸と平行な別の軸である第三軸を回転軸心として、かつ、前記第二ギヤが前記第一ギヤよりも軸方向における前記接合面側に位置するように配置され、
前記インバータ装置が軸方向における前記接合面と前記第一ギヤとの間に収まるとともに、当該インバータ装置の少なくとも一部が、軸方向に見て前記第一ギヤと重複するように配置されている請求項１に記載の車両用駆動装置。
【請求項３】
前記インバータ装置の少なくとも一部が、径方向に見て前記ギヤ機構と重複するように配置されている請求項２に記載の車両用駆動装置。
【請求項４】
車両搭載状態において、軸方向に見て、前記第三軸が水平方向における前記第一軸と前記第二軸との間であって、前記第一軸及び前記第二軸よりも鉛直上側に配置され、
前記インバータ装置の全体が、軸方向に見て、前記第一軸を通る仮想鉛直線である第四基準線と前記差動入力ギヤの外接円に接する仮想鉛直接線である第五基準線との間に収まるように配置されている請求項２又は３に記載の車両用駆動装置。
【請求項５】
前記インバータ装置の少なくとも一部が、軸方向で前記接合面と前記第二ギヤとの間において、軸方向に見て前記第二ギヤと重複するように配置されている請求項２から４のいずれか一項に記載の車両用駆動装置。
【請求項６】
前記ギヤ機構は、前記第一ギヤと前記第二ギヤとを連結する軸部材を有し、
前記インバータ装置の少なくとも一部が、軸方向で前記接合面と前記軸部材との間において、軸方向に見て前記軸部材と重複するように配置されている請求項５に記載の車両用駆動装置。
【請求項７】
前記ギヤ機構及び前記変速機構のうちのいずれか一方に形成された第三ギヤと、
前記第三ギヤに噛み合う状態で前記車輪の回転を規制するとともに前記第三ギヤへの噛み合いが解除された状態で前記車輪の回転を許容するロック機構と、を備え、
前記インバータ装置の全体が、軸方向で前記接合面と前記ロック機構との間に配置されている請求項２から６のいずれか一項に記載の車両用駆動装置。
【請求項８】
前記インバータ装置の少なくとも一部が、径方向に見て前記回転電機と重複するように配置されている請求項１から７のいずれか一項に記載の車両用駆動装置。
【発明の詳細な説明】
【技術分野】
【０００１】
本発明は、内燃機関に駆動連結される入力部材と、車輪に駆動連結される出力部材と、回転電機と、差動歯車装置と、インバータ装置とを備えた車両用駆動装置に関する。
【背景技術】
【０００２】
上記のような車両用駆動装置として、特開２００１−３５４０４０号公報（特許文献１）に記載されたものが知られている。この駆動装置では、発電機モータ１６及びプラネタリギヤユニット１３が配置される第１軸線ＳＨ１と、駆動モータ２５が配置される第２軸線ＳＨ２と、ディファレンシャル装置３６が配置される第３軸線ＳＨ３とが、軸方向に見て互いに異なる位置に配置されている。そして、発電機モータ１６と駆動モータ２５とが径方向に見て重複するように配置され、これら２つのモータ１６，２５の各外接円の共通接線に平行な傾斜壁４９に、インバータ装置が取り付けられている。
【０００３】
しかし、上記のような構成では、特許文献１の図１等から理解できるように、インバータ装置は、駆動装置の各構成部品を収容するケースの外縁から上方及び側方（車両前方）に大きくはみ出してしまう。このため、例えば従来型の内燃機関駆動の車両（いわゆるエンジン車両）の車台に特許文献１の駆動装置を搭載しようとすると、搭載スペースの周辺に配置される他の部品の位置や形状等を変更する必要性が生じる。その結果、製造コストが上昇してしまう。
【先行技術文献】
【特許文献】
【０００４】
【特許文献１】特開２００１−３５４０４０号公報
【発明の概要】
【発明が解決しようとする課題】
【０００５】
そこで、予め定められた大きさの搭載スペースに全体が収容可能となるように、インバータ装置を含む車両用駆動装置の全体の外形を小型化することが望まれる。
【課題を解決するための手段】
【０００６】
本発明に係る、内燃機関に駆動連結される入力部材と、複数の車輪のそれぞれに駆動連結される複数の出力部材と、回転電機と、前記回転電機の側から伝達される駆動力を複数の前記出力部材に分配する差動歯車装置と、前記回転電機に接続されるインバータ装置とを備えた車両用駆動装置の特徴構成は、第一軸を回転軸心として前記入力部材と前記回転電機とが軸方向に並んで配置され、前記第一軸と平行な別の軸である第二軸を回転軸心として前記差動歯車装置が配置され、前記インバータ装置の少なくとも一部が径方向に見て前記差動歯車装置と重複するように配置されるとともに、さらにその少なくとも一部が、軸方向に見て、前記第一軸と前記第二軸とを通る仮想直線である第一基準線に直交するとともに前記第一軸を通る仮想直線である第二基準線と、前記第一基準線に直交するとともに前記第二軸を通る仮想直線である第三基準線との間に配置されている点にある。
【０００７】
本願において、「駆動連結」とは、２つの回転要素が駆動力（トルクと同義）を伝達可能に連結された状態を意味する。この概念には、２つの回転要素が一体回転するように連結された状態や、１つ以上の伝動部材を介して駆動力を伝達可能に連結された状態が含まれる。このような伝動部材には、回転を同速で又は変速して伝達する各種の部材（軸、歯車機構、ベルト等）が含まれ、回転及び駆動力を選択的に伝達する係合装置（摩擦係合装置や噛み合い式係合装置等）が含まれても良い。
また、「回転電機」は、モータ（電動機）、ジェネレータ（発電機）、及び必要に応じてモータ及びジェネレータの双方の機能を果たすモータ・ジェネレータのいずれをも含む概念として用いている。
また、２つの部材の配置に関して、「ある方向に見て重複する」とは、その視線方向に平行な仮想直線を当該仮想直線に直交する各方向に移動させた場合に、当該仮想直線が２つの部材の双方に交わる領域が少なくとも一部に存在することを意味する。
【０００８】
この特徴構成によれば、軸方向に見て互いに異なる位置に配置される２つの仮想軸上に配置される各構成部品（主に回転電機及び差動歯車装置）を、径方向に見て互いに一部重複するように配置することができる。よって、例えば各構成部品を単一の仮想軸上に並べて配置する場合と比較して、それらの構成部品を軸方向にコンパクトに配置することができる。このとき、インバータ装置は、その少なくとも一部が径方向に見て差動歯車装置と重複するように配置されるので、インバータ装置をも含めて、軸方向にコンパクトに配置することができる。さらに、インバータ装置の少なくとも一部が、軸方向に見た場合における第二基準線と第三基準線との間の領域に配置されるので、当該領域の外側にインバータ装置の全体が配置される場合と比較して、装置全体の第一基準線に平行な方向における小型化を図ることができる。よって、インバータ装置を含む車両用駆動装置の全体の外形を小型化することができる。
【０００９】
ここで、変速出力ギヤを有する変速機構と、ギヤ機構と、前記回転電機、前記変速機構、前記ギヤ機構、及び前記差動歯車装置を収容するケースとをさらに備え、前記ケースは、前記内燃機関に接合される接合面を有し、前記ギヤ機構は、前記変速出力ギヤに噛み合う第一ギヤと、前記差動歯車装置の差動入力ギヤに噛み合いかつ前記第一ギヤよりも小径の第二ギヤとを有するとともに、前記第一軸及び前記第二軸と平行な別の軸である第三軸を回転軸心として、かつ、前記第二ギヤが前記第一ギヤよりも軸方向における前記接合面側に位置するように配置され、前記インバータ装置が軸方向における前記接合面と前記第一ギヤとの間に収まるとともに、当該インバータ装置の少なくとも一部が、軸方向に見て前記第一ギヤと重複するように配置されていると好適である。
【００１０】
この構成によれば、軸方向に見て互いに異なる位置に配置される３つの仮想軸上に配置される、変速機構やギヤ機構をも含む各構成部品を、全体としてコンパクトに配置することができる。このとき、第一ギヤよりも接合面側（内燃機関側）に配置される相対的に小径の第二ギヤの径方向外側であって軸方向に見て第一ギヤと重複する位置には、少なくとも第一ギヤの外径と第二ギヤの外径との差に応じた大きさの環状空間が形成される。この環状空間の一部を利用して、軸方向におけるケースの接合面と第一ギヤとの間に収まるように、かつ、軸方向に見て第一ギヤと重複する部分を有するようにインバータ装置を配置することで、インバータ装置の外縁を第三軸の軸心に近づけることができる。よって、インバータ装置を含む車両用駆動装置の全体の外形をさらに小型化することができる。
【００１１】
また、前記インバータ装置の少なくとも一部が、径方向に見て前記ギヤ機構と重複するように配置されていると好適である。
【００１２】
この構成によれば、上記環状空間を有効に利用することができる。また、径方向に見てインバータ装置とギヤ機構とが重複する軸方向の範囲を広げることで、インバータ装置の容積を一定とした場合において、その外縁をさらに第三軸の軸心に近づけることができる。よって、インバータ装置を含む車両用駆動装置の全体の外形をさらに小型化することができる。
【００１３】
また、車両搭載状態において、軸方向に見て、前記第三軸が水平方向における前記第一軸と前記第二軸との間であって、前記第一軸及び前記第二軸よりも鉛直上側に配置され、前記インバータ装置の全体が、軸方向に見て、前記第一軸を通る仮想鉛直線である第四基準線と前記差動入力ギヤの外接円に接する仮想鉛直接線である第五基準線との間に収まるように配置されていると好適である。
【００１４】
この構成によれば、車両用駆動装置を車両に搭載した状態で、比較的大重量の回転電機、変速機構、及び差動歯車装置を、ギヤ機構よりも鉛直下側に配置することができる。よって、低重心化により車両走行時の安定性を向上させることができる。また、インバータ装置が、軸方向に見て第四基準線と第五基準線との間に全て収まるように配置されるので、インバータ装置を含む車両用駆動装置の全体の、軸方向に見た場合における水平方向寸法の拡大を防止することができる。
【００１５】
また、前記インバータ装置の少なくとも一部が、軸方向で前記接合面と前記第二ギヤとの間において、軸方向に見て前記第二ギヤと重複するように配置されていると好適である。
【００１６】
この構成によれば、インバータ装置の少なくとも一部が、第二ギヤの外接円よりもさらに径方向内側に配置されるので、インバータ装置の外縁をさらに第三軸の軸心に近づけることができる。よって、インバータ装置を含む車両用駆動装置の全体の外形をさらに小型化することができる。
【００１７】
また、前記ギヤ機構は、前記第一ギヤと前記第二ギヤとを連結する軸部材を有し、前記インバータ装置の少なくとも一部が、軸方向で前記接合面と前記軸部材との間において、軸方向に見て前記軸部材と重複するように配置されていると好適である。
【００１８】
この構成によれば、インバータ装置の少なくとも一部が、第二ギヤよりも小径とされる場合が多い軸部材の外周面よりもさらに径方向内側に配置されるので、インバータ装置の外縁をさらに第三軸の軸心に近づけることができる。よって、インバータ装置を含む車両用駆動装置の全体の外形をさらに小型化することができる。
【００１９】
また、前記ギヤ機構及び前記変速機構のうちのいずれか一方に形成された第三ギヤと、前記第三ギヤに噛み合う状態で前記車輪の回転を規制するとともに前記第三ギヤへの噛み合いが解除された状態で前記車輪の回転を許容するロック機構と、を備え、前記インバータ装置の全体が、軸方向で前記接合面と前記ロック機構との間に配置されていると好適である。
【００２０】
この構成によれば、ギヤ機構又は変速機構に形成される第三ギヤに対して選択的に噛み合うロック機構により、車輪の回転を規制して車両を強制的に停車させる状態と、車輪の回転を許容して車両を走行可能とする状態とを切り替えることができる。また、そのようなロック機構が軸方向における接合面と第一ギヤとの間に設けられる場合であっても、当該ロック機構とインバータ装置との干渉を回避することができる。
【００２１】
また、前記インバータ装置の少なくとも一部が、径方向に見て前記回転電機と重複するように配置されていると好適である。
【００２２】
この構成によれば、回転電機とインバータ装置とを短い経路長で電気的に接続することができる。また、回転電機及びインバータ装置の少なくとも一方の接続端子の設置位置を自由度高く決定することができ、接続端子を、状況に応じた狙いの位置に容易に設置することができる。
【図面の簡単な説明】
【００２３】
【図１】実施形態に係る車両用駆動装置の概略構成を示す模式図
【図２】車両用駆動装置の展開断面図
【図３】車両用駆動装置を軸方向に見た側面図
【図４】車両用駆動装置を軸方向に直交する方向に見た側面図
【図５】各構成部品を軸方向に直交する方向に見た配置関係を示す模式図
【図６】各構成部品を軸方向に見た配置関係を示す模式図
【図７】各構成部品を軸方向に見た配置関係の別形態を示す模式図
【図８】各構成部品を軸方向に見た配置関係の別形態を示す模式図
【図９】各構成部品を軸方向に直交する方向に見た配置関係の別形態を示す模式図
【図１０】ケース構成の別形態を示す断面図
【発明を実施するための形態】
【００２４】
本発明に係る車両用駆動装置の実施形態について、図面を参照して説明する。本実施形態に係る車両用駆動装置１は、車輪Ｗの駆動力源として内燃機関Ｅ及び回転電機ＭＧの双方を備えた車両（ハイブリッド車両）を駆動するための車両用駆動装置（ハイブリッド車両用駆動装置）である。具体的には、車両用駆動装置１は、１モータパラレル方式のハイブリッド車両用の駆動装置として構成されている。なお、以下の説明では、各部材についての方向や位置等に関する用語は、製造上許容され得る誤差による差異を有する状態をも含む概念として用いている。また、各部材についての方向は、それらが車両用駆動装置１に組み付けられた状態での方向を表すものとする。
【００２５】
１．車両用駆動装置の概略構成
本実施形態に係る車両用駆動装置１の概略構成について説明する。図１及び図２に示すように、車両用駆動装置１は、内燃機関Ｅに駆動連結される入力軸Ｉと、複数（本例では２つ）の車輪Ｗのそれぞれに駆動連結される複数（本例では２つ）の出力軸Ｏと、回転電機ＭＧと、差動歯車装置ＤＦとを備えている。また、本実施形態では、車両用駆動装置１は、係合装置ＣＬと、変速機構ＴＭと、ギヤ機構Ｃとを備えている。係合装置ＣＬ、回転電機ＭＧ、変速機構ＴＭ、ギヤ機構Ｃ、及び差動歯車装置ＤＦは、入力軸Ｉと出力軸Ｏとを結ぶ動力伝達経路Ｔに設けられている。これらは、入力軸Ｉの側から記載の順に設けられている。また、これらは、ケース（駆動装置ケース）２内に収容されている。本実施形態では、入力軸Ｉが本発明における「入力部材」に相当し、出力軸Ｏが本発明における「出力部材」に相当する。
【００２６】
図２に示すように、本実施形態では、入力軸Ｉ、回転電機ＭＧ、及び変速機構ＴＭは、第一軸Ａ１上に配置されている。すなわち、仮想軸である第一軸Ａ１を回転軸心として、入力軸Ｉと回転電機ＭＧと変速機構ＴＭとが、第一軸Ａ１の延在方向に沿って並んで配置されている。また、差動歯車装置ＤＦは、第二軸Ａ２上に配置されている。すなわち、仮想軸である第二軸Ａ２を回転軸心として、差動歯車装置ＤＦが第二軸Ａ２の延在方向に沿って配置されている。また、ギヤ機構Ｃは、第三軸Ａ３上に配置されている。すなわち、仮想軸である第三軸Ａ３を回転軸心として、ギヤ機構Ｃが第三軸Ａ３の延在方向に沿って配置されている。これら３つの軸Ａ１，Ａ２，Ａ３は、互いに平行に配置されている。本実施形態では、これらの共通の延在方向を「軸方向Ｌ」と定義する。また、軸方向Ｌの一方側である相対的に入力軸Ｉ側（図２の右側）へ向かう方向を「軸第一方向Ｌ１」と定義し、軸方向Ｌの他方側である相対的に変速機構ＴＭ側（図２の左側）へ向かう方向を「軸第二方向Ｌ２」と定義する。
【００２７】
図３に示すように、互いに別の軸とされる第一軸Ａ１、第二軸Ａ２、及び第三軸Ａ３は、軸方向Ｌに見て異なる位置に配置されている。本実施形態では、第一軸Ａ１、第二軸Ａ２、及び第三軸Ａ３は、軸方向Ｌに見て三角形（本例では鈍角三角形）の頂点に位置するように配置されている。また、本実施形態では、車両搭載状態（車両用駆動装置１が車両に搭載された状態）において、第二軸Ａ２が第一軸Ａ１よりも鉛直下側（鉛直方向Ｖにおける下側）に配置されるとともに、軸方向Ｌに見て互いに異なる水平方向Ｈの位置に配置されている。本例では、車両搭載状態で、第一軸Ａ１が相対的に車両前方側に配置され、第二軸Ａ２が相対的に車両後方側に配置されている。また、第三軸Ａ３が、軸方向Ｌに見て水平方向Ｈにおける第一軸Ａ１と第二軸Ａ２との間であって、第一軸Ａ１及び第二軸Ａ２よりも鉛直上側（鉛直方向Ｖにおける上側）に配置されている。このように、本実施形態に係る車両用駆動装置１は、例えばＦＦ（Front Engine Front Drive）車両に搭載される場合の構成に適した複軸構成とされている。
【００２８】
図１に示すように、入力軸（駆動装置入力軸）Ｉは内燃機関Ｅに駆動連結される。内燃機関Ｅは、機関内部における燃料の燃焼により駆動されて動力を取り出す原動機（ガソリンエンジンやディーゼルエンジン等）である。本実施形態では、内燃機関Ｅの出力軸（クランクシャフト等）に、入力軸Ｉが駆動連結される。
【００２９】
係合装置ＣＬは、動力伝達経路Ｔにおける入力軸Ｉと回転電機ＭＧとの間に設けられている。係合装置ＣＬは、入力軸Ｉ（内燃機関Ｅ）と回転電機ＭＧとを選択的に駆動連結する。この係合装置ＣＬは、車輪Ｗから内燃機関Ｅを切り離す内燃機関切離用係合装置として機能する。本実施形態では、係合装置ＣＬは、油圧駆動式の摩擦係合装置として構成されている。なお、電磁駆動式の摩擦係合装置や噛み合い式の係合装置等であっても良い。
【００３０】
回転電機ＭＧは、ケース２に固定されたステータＳｔと、当該ステータＳｔの径方向内側に回転自在に支持されたロータＲｏとを有している（図２も参照）。回転電機ＭＧは、電力の供給を受けて動力を発生するモータ（電動機）としての機能と、動力の供給を受けて電力を発生するジェネレータ（発電機）としての機能とを果たすことが可能である。回転電機ＭＧは、インバータ装置３を介して蓄電装置Ｂ（バッテリやキャパシタ等）に電気的に接続されている。回転電機ＭＧは、蓄電装置Ｂから電力の供給を受けて力行し、又は、内燃機関Ｅのトルクや車両の慣性力により発電した電力を蓄電装置Ｂに供給して蓄電させる。回転電機ＭＧのロータＲｏは、中間軸Ｍと一体回転するように駆動連結されている。この中間軸Ｍは、変速機構ＴＭの入力軸（変速入力軸）となっている。
【００３１】
変速機構ＴＭは、本実施形態では、変速比の異なる複数の変速段を切替可能に備えた自動有段変速機構である。なお、変速機構ＴＭとして、変速比を無段階に変更可能な自動無段変速機構や、変速比の異なる複数の変速段を切替可能に備えた手動式有段変速機構、固定変速比（「１」を含む）の単一変速段を備えた定変速機構等を用いても良い。変速機構ＴＭは、中間軸Ｍに入力される回転及びトルクを、各時点における変速比に応じて変速するとともにトルク変換して、当該変速機構ＴＭの変速出力ギヤＧｏに伝達する。
【００３２】
変速出力ギヤＧｏは、ギヤ機構Ｃに駆動連結されている。図１及び図２に示すように、ギヤ機構Ｃは、軸部材４１と第一ギヤ４５と第二ギヤ４６とを有する。軸部材４１は、第一ギヤ４５と第二ギヤ４６とを連結するように形成された円柱状又は円筒状部材である。図２に示すように、軸部材４１の外周部には、当該軸部材４１に係合される筒状部を有する円環板状のリム部材４２が連結されている。軸部材４１とリム部材４２とは、一体回転するようにスプライン連結されている。リム部材４２の外周部に、第一ギヤ４５が形成されている。第一ギヤ４５は、変速機構ＴＭの変速出力ギヤＧｏに噛み合っている。また、リム部材４２は、その軸第一方向Ｌ１側の側面から軸第一方向Ｌ１側に突出する円筒状突出部４３を有する。円筒状突出部４３の外周部には、第三ギヤ４７が形成されている。
【００３３】
リム部材４２が連結された軸方向Ｌの位置とは異なる位置における軸部材４１の外周部に、第二ギヤ４６が形成されている。本実施形態では、第二ギヤ４６は、第一ギヤ４５及び第三ギヤ４７よりも軸第一方向Ｌ１側（内燃機関Ｅ側）に配置されている。また、第三ギヤ４７は第一ギヤ４５よりも小径に形成されており、第二ギヤ４６は、第一ギヤ４５及び第三ギヤ４７よりも小径に形成されている。第二ギヤ４６は、差動歯車装置ＤＦの差動入力ギヤＧｉに噛み合っている。
【００３４】
差動歯車装置（出力用差動歯車装置）ＤＦは、出力軸Ｏを介して車輪Ｗに駆動連結されている。差動歯車装置ＤＦは、差動入力ギヤＧｉと、当該差動入力ギヤＧｉに連結された差動本体部５１（差動歯車装置ＤＦの本体部）とを有する。差動本体部５１は、互いに噛合する複数の傘歯車とそれらを収容する差動ケースとを含んで構成され、差動機構の中心的役割を果たす。本実施形態では、車両の幅方向の中央部に極力近づけて差動本体部５１を配置するべく、内燃機関Ｅ及び車両用駆動装置１のそれぞれの大きさも考慮して、差動本体部５１は、差動入力ギヤＧｉよりも軸第一方向Ｌ１側（内燃機関Ｅ側）に配置されている。差動歯車装置ＤＦは、回転電機ＭＧの側から変速機構ＴＭ及びギヤ機構Ｃを介して差動入力ギヤＧｉに入力される回転及びトルクを、差動本体部５１にて左右２つの出力軸Ｏ（すなわち、左右２つの車輪Ｗ）に分配して伝達する。
【００３５】
なお、図６に示すように、車両用駆動装置１には、ロック機構６０が備えられている。ロック機構６０は、係合爪６２を有するロック部材６１を備えている。ロック部材６１は所定の支点を中心として揺動し、係合爪６２が第三ギヤ４７に噛み合う状態と第三ギヤ４７には噛み合わない状態とをとり得る。なお、図６では、簡略化のため、第三ギヤ４７に関してはその外接円のみを示している（他のギヤについても同様である）。そして、ロック機構６０は、係合爪６２が第三ギヤ４７に噛み合う状態で車輪Ｗの回転を規制し（強制的に車両を停車させ）、第三ギヤ４７への係合爪６２の噛み合いが解除された状態で車輪Ｗの回転を許容する（車両の走行を許容する）。車両用駆動装置１は、ロック機構６０による車輪Ｗのロックが解除された状態で、内燃機関Ｅ及び回転電機ＭＧの一方又は双方のトルクを車輪Ｗに伝達させて車両を走行させることができる。
【００３６】
２．ケースに対するインバータ装置の固定構造
本実施形態に係る車両用駆動装置１における、ケース２に対するインバータ装置３の固定構造について説明する。図２及び図４に示すように、本実施形態では、ケース２は軸方向Ｌに分割形成された第一ケース部２１と第二ケース部２６とを備えている。第一ケース部２１は、主に回転電機ＭＧ及び係合装置ＣＬの収容空間を形成するケース部である。第二ケース部２６は、主に変速機構ＴＭ及びギヤ機構Ｃの収容空間を形成するケース部である。本実施形態では、第一ケース部２１と第二ケース部２６とに跨って、差動歯車装置ＤＦの収容空間も形成される。なお、第二ケース部２６は、第一ケース部２１に対して軸第二方向Ｌ２側から接合されている。
【００３７】
図２〜図４に示すように、第一ケース部２１は、回転電機ＭＧの外周を覆う周壁２２を有する。この周壁２２の、第一軸Ａ１の径方向内側に、回転電機ＭＧが収容されている。また、回転電機ＭＧの、第一軸Ａ１の径方向内側に、係合装置ＣＬが配置されている。回転電機ＭＧ及び係合装置ＣＬは、第一軸Ａ１の径方向に見て、互いに重複する状態で配置されている。本実施形態では、周壁２２の軸第一方向Ｌ１側の端面に、内燃機関Ｅが接合される。すなわち、周壁２２は、軸第一方向Ｌ１側の端部に、内燃機関Ｅに固定された状態で当該内燃機関Ｅに接合される第一接合面２２ａを有する。一方、周壁２２の軸第二方向Ｌ２側の端面には、第二ケース部２６が接合されている。すなわち、周壁２２は、軸第二方向Ｌ２側の端部に、第二ケース部２６に固定された状態で当該第二ケース部２６に接合される第二接合面２２ｂを有する。本実施形態では、第一接合面２２ａが本発明における「接合面」に相当する。
【００３８】
また、第一ケース部２１は、軸第二方向Ｌ２側の端部において周壁２２から径方向に延びる区画壁２３を有する。この区画壁２３は、軸方向Ｌにおける回転電機ＭＧと変速機構ＴＭとの間に配置され、回転電機ＭＧ等の収容空間と変速機構ＴＭ等の収容空間とを軸方向Ｌに区画する。また、図３に示すように、第一ケース部２１は、周壁２２から第一軸Ａ１の径方向外側へ突出するように形成された第一突出壁２４を有する。本例では、第一突出壁２４は、軸方向Ｌに見た場合に、第一軸Ａ１を基準として鉛直方向Ｖにおける上側かつ水平方向Ｈにおける第三軸Ａ３側（車両後方側）へ突出するように形成されている。この第一突出壁２４は、軸方向Ｌに見て第二ケース部２６の第二突出壁２７と重複するように配置されている（図４を参照）。
【００３９】
図４に示すように、第一突出壁２４及び第二突出壁２７は、軸方向Ｌの所定範囲を占める肉厚の壁部として形成されている。ここで、第一突出壁２４が占める軸方向Ｌの範囲は、本実施形態では第二接合面２２ｂよりも軸第二方向Ｌ２側の領域を含んでいる。これにより、第一突出壁２４は、第一軸Ａ１の径方向に見て、第二ケース部２６の軸第一方向Ｌ１側の一部の領域（第二突出壁２７の部分を含む）と重複するように配置されている。第一突出壁２４及び第二突出壁２７は、それぞれ軸第一方向Ｌ１側に向かって開口する槽状に形成されている。本実施形態では、第一突出壁２４が第二突出壁２７の内部空間に収容されている。
【００４０】
本実施形態では、ケース２に、インバータ装置３が取り付けられている。インバータ装置３は、回転電機ＭＧ及び蓄電装置Ｂに電気的に接続され、制御装置（図示が省略された駆動装置用制御装置）からの制御指令に応じて、蓄電装置Ｂと回転電機ＭＧとの間の電力の授受（受け渡し）を調整する装置である。本実施形態では、インバータ装置３は、蓄電装置Ｂとの間で授受される直流電力と、回転電機ＭＧとの間で授受される交流電力との間の電力変換を行う。このため、インバータ装置３は、直流電力と交流電力との変換を行う直流交流変換部を備えている。良く知られているように、直流交流変換部には、直流交流変換用のスイッチング素子（ＩＧＢＴやＭＯＳＦＥＴ等）や整流素子（ダイオード等）、平滑用のコンデンサ等が含まれる。本実施形態では、インバータ装置３は、スイッチング素子や整流素子が基板等と一体化されてなるパワー部３１と、１つ以上のコンデンサからなるコンデンサ部３２とを有する（図５も参照）。また、インバータ装置３は、蓄電装置Ｂに電気的に接続される接続端子を収納するコネクタ部３４を有する。図６に示すように、コネクタ部３４は、軸方向Ｌに見てコンデンサ部３２と重複するように配置されるパワー部３１の隅部から鉛直上側に突出するように形成されている。
【００４１】
図５に示すように、本実施形態では、パワー部３１及びコンデンサ部３２は、水平方向Ｈのうち軸方向Ｌに直交する方向（以下、「特定水平方向」と称する。）に見た場合に、いずれも軸方向Ｌに偏平な形状を有している。これらは、特定水平方向に見た場合に、いずれも軸方向寸法よりも鉛直方向寸法の方が大きい矩形状に形成されている。また、本実施形態では、鉛直方向Ｖの大きさに関して、パワー部３１は、コンデンサ部３２よりも大型の部品とされている。本例では、パワー部３１が占める鉛直方向Ｖの範囲は、コンデンサ部３２が占める鉛直方向Ｖの範囲を完全に包含している。そして、パワー部３１とコンデンサ部３２とは、コンデンサ部３２に対してパワー部３１が軸第一方向Ｌ１側に配置された状態で一体的に連結されている。これにより、インバータ装置３は全体として、特定水平方向に見て、軸第一方向Ｌ１側に向かうに従って鉛直方向Ｖの大きさが段階的に大きくなるように形成されている。
【００４２】
本実施形態では、図４に示すように、インバータ装置３は、ケース２を構成する２つのケース部２１，２２のうち、軸第一方向Ｌ１側（内燃機関Ｅ側）に配置される第一ケース部２１に取り付けられている。ここで、上述したように第一ケース部２１は周壁２２から突出形成された軸方向Ｌに肉厚な第一突出壁２４を有するとともに、この第一突出壁２４は軸第一方向Ｌ１側に開口する槽状に形成されている。この槽状に形成された第一突出壁２４の内部空間に、インバータ装置３の少なくとも一部が収容されている。本実施形態では、インバータ装置３を構成するコンデンサ部３２が、第一突出壁２４の内部空間に収容されている（図４において破線で表示）。なお、パワー部３１は収容されていない。これにより、コンデンサ部３２だけが第一突出壁２４の内部空間に収容された状態で、パワー部３１を含むインバータ装置３の全体が第一ケース部２１に取り付けられている。インバータ装置３は、軸第一方向Ｌ１側から取り付けられている。
【００４３】
３．インバータ装置と各構成部品との配置関係
本実施形態に係る車両用駆動装置１における、インバータ装置３と各構成部品との配置関係について説明する。図５に示すように、インバータ装置３は、少なくともケース２（周壁２２）の第一接合面２２ａよりも軸第二方向Ｌ２側（内燃機関Ｅとは反対側）に配置されている。本実施形態では、図４に示すように、インバータ装置３は、第一ケース部２１が軸方向Ｌで占める範囲のうち、第一接合面２２ａ側の所定範囲（本例ではおよそ半分）を避けて、それよりも軸第二方向Ｌ２側に配置されている。これにより、第一接合面２２ａを介した車両用駆動装置１と内燃機関Ｅとの連結作業を容易化することができる。例えば、特殊工具を用いることなく連結作業を行うことができ、及び／又は、連結作業中にインバータ装置３を誤って傷つけてしまうことを抑制できる。
【００４４】
本実施形態では、図６から理解できるように、回転電機ＭＧの第一軸Ａ１の径方向外側であって、かつ、差動本体部５１の第二軸Ａ２の径方向外側に、軸方向Ｌに見てＶ字状（丸みを帯びたＶ字状）の谷状空間Ｓｖが形成される。この谷状空間Ｓｖに、インバータ装置３が配置されている。また、図５に示すように、インバータ装置３の少なくとも一部が、第一軸Ａ１の径方向に見て回転電機ＭＧと重複するように配置されている。本例では、インバータ装置３を構成するコンデンサ部３２の軸第一方向Ｌ１側の一部とパワー部３１の全体とが、回転電機ＭＧと重複するように配置されている。また、インバータ装置３の少なくとも一部が、第二軸Ａ２の径方向に見て差動歯車装置ＤＦと重複するように配置されている。本例では、コンデンサ部３２の全体とパワー部３１の軸第二方向Ｌ２側の一部とが、差動本体部５１と重複するように配置されている。
【００４５】
軸方向Ｌに見て水平方向Ｈにおける第一軸Ａ１と第二軸Ａ２との間であって、これらよりも鉛直上側に配置される第三軸Ａ３上のギヤ機構Ｃの少なくとも一部も、同様に谷状空間Ｓｖに配置されている。このため、本実施形態では、谷状空間Ｓｖにおけるインバータ装置３とギヤ機構Ｃとの配置関係を、以下のように調整している。
【００４６】
図５に示すように、インバータ装置３は、軸方向Ｌにおける第一接合面２２ａと第一ギヤ４５との間に収まるように配置されている。インバータ装置３は、その全体が、第一接合面２２ａよりも軸第二方向Ｌ２側であって、かつ、第一ギヤ４５よりも軸第一方向Ｌ１側に配置されている。これにより、インバータ装置３とギヤ機構Ｃとが同じ谷状空間Ｓｖに配置される場合であっても、第一ギヤ４５とインバータ装置３との相互の干渉が確実に回避されている。そして、図６に示すように、インバータ装置３を構成するパワー部３１の下端側の一部及びコンデンサ部３２の下端側の一部が、軸方向Ｌに見て第一ギヤ４５と重複するように配置されている。
【００４７】
また、図５に示すように、インバータ装置３は、軸方向Ｌにおける第一接合面２２ａとロック機構６０（第三ギヤ４７）との間に収まるように配置されている。インバータ装置３は、その全体が、第一接合面２２ａよりも軸第二方向Ｌ２側であって、かつ、ロック機構６０（第三ギヤ４７）よりも軸第一方向Ｌ１側に配置されている。本実施形態では、第三ギヤ４７が第一ギヤ４５よりも軸第一方向Ｌ１側に配置されているので、それに応じてロック機構６０も第一ギヤ４５よりも軸第一方向Ｌ１側に配置される。また、第三ギヤ４７に噛み合う係合爪６２を有するロック部材６１を備えるロック機構６０も、同様に谷状空間Ｓｖに配置されることになる。そこで、上記のようにインバータ装置３をロック機構６０（第三ギヤ４７）よりも軸第一方向Ｌ１側に配置することで、これら相互の干渉が回避されている。そして、図６に示すように、インバータ装置３を構成するパワー部３１の下端側の一部及びコンデンサ部３２の下端側の一部が、軸方向Ｌに見て第三ギヤ４７と重複するように配置されている。
【００４８】
また、図５に示すように、インバータ装置３は、軸方向Ｌにおける第一接合面２２ａと第二ギヤ４６との間に収まるように配置されている。インバータ装置３は、その全体が、第一接合面２２ａよりも軸第二方向Ｌ２側であって、かつ、第二ギヤ４６よりも軸第一方向Ｌ１側に配置されている。これにより、第二ギヤ４６に噛み合う差動歯車装置ＤＦの比較的大径の差動入力ギヤＧｉと、インバータ装置３との相互の干渉が確実に回避されている。一方、インバータ装置３の少なくとも一部は、第三軸Ａ３の径方向に見てギヤ機構Ｃと重複するように配置されている。本実施形態では、インバータ装置３を構成するコンデンサ部３２の軸第二方向Ｌ２側の一部が、ギヤ機構Ｃを構成する軸部材４１における、第二ギヤ４６よりも軸第一方向Ｌ１側の部分の一部と重複するように配置されている。
【００４９】
また、インバータ装置３の残りの一部は、軸方向Ｌにおける第一接合面２２ａと軸部材４１との間に配置されている。本実施形態では、コンデンサ部３２の軸第一方向Ｌ１側の残りの一部とパワー部３１とが、第一接合面２２ａよりも軸第二方向Ｌ２側であって、かつ、軸部材４１よりも軸第一方向Ｌ１側に配置されている。このとき、図６に示すように、インバータ装置３を構成するパワー部３１の下端側の一部が、軸方向Ｌに見て第二ギヤ４６と重複するように配置されている。なお、パワー部３１は、鉛直方向Ｖで軸部材４１が占める範囲には配置されているものの、軸方向Ｌに見て当該軸部材４１とは重複していない。また、インバータ装置３を構成するコンデンサ部３２は、鉛直方向Ｖで第二ギヤ４６が占める範囲には配置されているものの、軸方向Ｌに見て当該第二ギヤ４６や軸部材４１とは重複していない。
【００５０】
ここで、軸方向Ｌに見て、第一軸Ａ１と第二軸Ａ２とを通る仮想直線を第一基準線Ｒ１と定義する。また、第一基準線Ｒ１に直交するとともに第一軸Ａ１を通る仮想直線を第二基準線Ｒ２と定義する。第一基準線Ｒ１に直交するとともに第二軸Ａ２を通る仮想直線を第三基準線Ｒ３と定義する。また、第一軸Ａ１を通り、かつ、鉛直方向Ｖに沿って延びる仮想直線を第四基準線Ｒ４と定義する。第二軸Ａ２に対して水平方向Ｈにおける第一軸Ａ１とは反対側において差動入力ギヤＧｉの外接円に接し、かつ、鉛直方向Ｖに沿って延びる仮想直線を第五基準線Ｒ５と定義する。また、第三軸Ａ３を通り、かつ、水平方向Ｈに沿って延びる仮想直線を第六基準線Ｒ６と定義する。
【００５１】
これらの各基準線Ｒ１〜Ｒ６との関係では、インバータ装置３は次のように配置されている。図６に示すように、軸方向Ｌに見て、インバータ装置３は、その少なくとも一部が、第二基準線Ｒ２と第三基準線Ｒ３との間に配置されている。インバータ装置３は、その少なくとも一部が、互いに平行な第二基準線Ｒ２及び第三基準線Ｒ３と、これらに直交する第一基準線Ｒ１とによって囲まれる領域に配置されている。本実施形態では、コネクタ部３４とパワー部３１における下端側の隅部とを除くインバータ装置３の大部分が、３つの基準線Ｒ１，Ｒ２，Ｒ３によって囲まれる領域に配置されている。また、実質的にコンデンサ部３２の全体が、当該領域に配置されている。
【００５２】
また、軸方向Ｌに見て、インバータ装置３は、その全体が第四基準線Ｒ４と第五基準線Ｒ５との間に収まるように配置されている。また、インバータ装置３は、その全体が第六基準線Ｒ６よりも鉛直上側に位置するように配置されている。これにより、インバータ装置３は、その全体が、第四基準線Ｒ４と、これに直交する第五基準線Ｒ５及び第六基準線Ｒ６とによって囲まれる領域に収まるように配置されている。
【００５３】
そして、図５に示すように、軸第一方向Ｌ１側に向かうに従って段階的に小径となるように形成されたギヤ機構Ｃと、軸第一方向Ｌ１側に向かうに従って鉛直方向Ｖの大きさが段階的に大きくなるように形成されたインバータ装置３とが、特定水平方向に見て相補的な位置関係で配置されている。具体的には、図５及び図６に示すように、インバータ装置３は、軸方向Ｌにおける第一接合面２２ａと第一ギヤ４５及びロック機構６０との間に収まるとともに、その少なくとも一部が軸方向Ｌに見て第一ギヤ４５と重複するように配置されている。さらに、インバータ装置３を構成するパワー部３１は、軸方向Ｌにおける第一接合面２２ａと第二ギヤ４６との間に収まるとともに、その少なくとも一部が軸方向Ｌに見て第二ギヤ４６と重複するように配置されている。これにより、インバータ装置３の外縁を第三軸Ａ３の軸心に近づけることができ、インバータ装置３を含む車両用駆動装置１の全体の外形を小型化することが可能となっている。よって、従来型のいわゆるエンジン車両の車台に、車両用駆動装置１の搭載スペースの周辺に配置される他の部品の位置や形状等をあまり変更することなく（好ましくは全く変更することなく）、車両用駆動装置１を搭載することができる。従って、ハイブリッド車両の製造コストの上昇を抑制することができる。
【００５４】
また、本実施形態では、インバータ装置３は、軸第一方向Ｌ１側に向かうに従って段階的に小径となるように形成された差動歯車装置ＤＦとも、特定水平方向に見て相補的な位置関係で配置されている。これにより、インバータ装置３とギヤ機構Ｃ及び差動歯車装置ＤＦとの間に、適正な大きさの空間を確保することが可能となっている。そして、この空間を利用して、第一ケース部２１の第一突出壁２４（図４を参照）が配置されている。この第一突出壁２４の内部にコンデンサ部３２が収容された状態で、インバータ装置３が周壁２２の外部側に固定されている。これにより、各種部材の潤滑や冷却等の目的で第一ケース部２１（周壁２２）の内部や第二ケース部２６の内部に存在する油から、インバータ装置３を隔離することができる。
【００５５】
また、本実施形態では、インバータ装置３の少なくとも一部が、第一軸Ａ１の径方向に見て回転電機ＭＧと重複するように配置されている。本例では特に、インバータ装置３を構成するパワー部３１の全体が、回転電機ＭＧと重複するように配置されている。コンデンサ部３２とは異なり、パワー部３１には一般に、回転電機ＭＧに電気的に接続される接続端子（図示せず）が設けられる場合が多い。そこで、上記のようにパワー部３１と回転電機ＭＧとが重複するように配置することで、接続端子の設置位置を自由度高く決定することができ、状況に応じた狙いの位置に接続端子を容易に設置することができる。また、両者間の配線を容易に簡素化することができ、それに応じてインダクタンスを小さくすることができる。
【００５６】
さらに本実施形態では、インバータ装置３は、軸方向Ｌに見て、その少なくとも一部が、第二基準線Ｒ２と第三基準線Ｒ３との間の領域に含まれるように配置されている。また、インバータ装置３は、その全体が第四基準線Ｒ４と第五基準線Ｒ５と第六基準線Ｒ６とによって囲まれる領域に収まるように配置されている。このような構成を採用することによっても、インバータ装置３を含む車両用駆動装置１の全体の外形が、有効に小型化されている。また、このような構成では、特定水平方向に見て、比較的大径かつ大重量の回転電機ＭＧ及び変速機構ＴＭの少なくとも一方（本例では回転電機ＭＧのみ）と重複するように、インバータ装置３を配置することができる。よって、本実施形態のようにＦＦ車両に搭載される車両用駆動装置１の第一軸Ａ１が車両前方側に配置される場合には、仮に車両の前進走行中に衝突事故が発生した場合であっても、重量部品によってインバータ装置３をある程度遮蔽して保護することができる。よって、事故発生時におけるインバータ装置３の故障等の可能性を低減することができる。
【００５７】
４．その他の実施形態
最後に、本発明に係る車両用駆動装置の、その他の実施形態について説明する。なお、以下のそれぞれの実施形態で開示される構成は、矛盾が生じない限り、他の実施形態で開示される構成と組み合わせて適用することも可能である。
【００５８】
（１）上記の実施形態では、インバータ装置３の一部が、軸方向Ｌに見て第二ギヤ４６と重複するように配置されている構成を例として説明した。しかし、本発明の実施形態はこれに限定されない。例えば図７に示すように、軸方向Ｌに見て、インバータ装置３が第二ギヤ４６とは重複することなく、第一ギヤ４５及び第三ギヤ４７の少なくとも一方（図示の例では両方）とのみ重複するように配置された構成としても良い。
【００５９】
（２）上記の実施形態では、インバータ装置３が、軸方向Ｌに見て軸部材４１とは重複することなく配置されている構成を例として説明した。しかし、本発明の実施形態はこれに限定されない。例えば図８に示すように、インバータ装置３の少なくとも一部が、軸方向Ｌに見て第二ギヤ４６よりも小径の軸部材４１とも重複するように配置された構成としても良い。なお、図示の例ではインバータ装置３を構成するパワー部３１のみが軸部材４１と重複するように配置されているが、コンデンサ部３２も軸部材４１と重複するように配置された構成としても良い。このようにすれば、インバータ装置３の外縁を第三軸Ａ３の軸心にさらに近づけることができ、インバータ装置３を含む車両用駆動装置１の全体の外形をさらに小型化することも可能となる。
【００６０】
（３）上記の実施形態では、インバータ装置３の一部が、第三軸Ａ３の径方向に見て、軸部材４１における第二ギヤ４６よりも軸第一方向Ｌ１側の部分のみと重複するように配置されている構成を例として説明した。しかし、本発明の実施形態はこれに限定されない。例えば図９に示すように、インバータ装置３の少なくとも一部が、第二ギヤ４６とも重複するように配置された構成としても良い。また、インバータ装置３の少なくとも一部が、ロック機構６０とは干渉しない範囲内で、軸部材４１における第二ギヤ４６よりも軸第二方向Ｌ２側（第一ギヤ４５側）の部分と重複するように配置された構成としても良い。このようにすれば、第三軸Ａ３の径方向に見てインバータ装置３とギヤ機構Ｃとが重複する軸方向Ｌの範囲を広げることができる。よって、インバータ装置３の容積を一定とした場合において、その外縁をさらに第三軸Ａ３の軸心に近づけることができ、インバータ装置３を含む車両用駆動装置１の全体の外形をさらに小型化することができる。なお、インバータ装置３が、第三軸Ａ３の径方向に見て、ギヤ機構Ｃとは重複しないように配置された構成としても良い。
【００６１】
（４）上記の実施形態では、インバータ装置３の一部が、第一軸Ａ１の径方向に見て回転電機ＭＧと重複するように配置されるとともに第二軸Ａ２の径方向に見て差動本体部５１と重複するように配置された構成を例として説明した。しかし、本発明の実施形態はこれに限定されない。インバータ装置３が、回転電機ＭＧ及び差動本体部５１の少なくとも一方とは重複しないように配置された構成としても良い。
【００６２】
（５）上記の実施形態では、ケース２が回転電機ＭＧ等を収容する第一ケース部２１と変速機構ＴＭ等を収容する第二ケース部２６とを備え、ケース２における内燃機関Ｅに接合される第一接合面２２ａが第一ケース部２１に形成されている構成を例として説明した。しかし、本発明の実施形態はこれに限定されない。例えば図１０に示すように、内燃機関Ｅと入力軸Ｉとの間にダンパ装置ＤＡが設けられる場合には、ケース２が、ダンパ装置ＤＡを収容する第三ケース部２９をさらに備える構成としても良い。第三ケース部２９は、第一ケース部２１と内燃機関Ｅとの間に介在される構成とすることができる。この場合、第三ケース部２９の軸第一方向Ｌ１側の端面（第三接合面２９ａ）に、内燃機関Ｅが接合される。本例では、第三接合面２９ａが本発明における「接合面」に相当することになる。
【００６３】
（６）上記の実施形態では、インバータ装置３の一部のみが、軸方向Ｌに見て第二基準線Ｒ２と第三基準線Ｒ３との間の領域に配置された構成を例として説明した。しかし、本発明の実施形態はこれに限定されない。インバータ装置３の全体が、軸方向Ｌに見て第二基準線Ｒ２と第三基準線Ｒ３との間の領域に収まるように配置されても良い。
【００６４】
（７）上記の実施形態では、インバータ装置３の全体が、軸方向Ｌに見て第四基準線Ｒ４と第五基準線Ｒ５と第六基準線Ｒ６とによって囲まれる領域に収まるように配置された構成を例として説明した。しかし、本発明の実施形態はこれに限定されない。インバータ装置３が、軸方向Ｌに見て各基準線Ｒ４，Ｒ５，Ｒ６の少なくとも１つと重複するように配置された構成としても良い。この場合において、第五基準線Ｒ５と重複する場合には、軸方向Ｌに見て第五基準線Ｒ５よりも外側に規定される第七基準線Ｒ７（図６を参照）よりは内側に収まるように、インバータ装置３が配置されていると好適である。なお、第七基準線Ｒ７は、第一ケース部２１の外縁に接し、かつ、鉛直方向Ｖに沿って延びる仮想直線である。
【００６５】
（８）上記の実施形態では、インバータ装置３が互いに異なる大きさ・形状のパワー部３１とコンデンサ部３２とを含んで構成される例について説明した。しかし、本発明の実施形態はこれに限定されない。インバータ装置３の具体的構成は任意であり、各種の形態を採用することが可能である。また、インバータ装置３が、直流交流変換部に加えて、直流電力の電圧変換を行う電圧変換部を備えていても良い。インバータ装置３がそのような電圧変換部を備える場合には、電圧変換用のスイッチング素子や整流素子等も、パワー部３１に含まれて良い。
【００６６】
（９）上記の実施形態では、第三ギヤ４７が第一ギヤ４５よりも軸第一方向Ｌ１側に配置され、これに応じてインバータ装置３が第三ギヤ４７及びロック機構６０よりもさらに軸第一方向Ｌ１側に配置された構成を例として説明した。しかし、本発明の実施形態はこれに限定されない。例えば、第三ギヤ４７が第一ギヤ４５よりも軸第二方向Ｌ２側に配置された構成としても良い。この場合、インバータ装置３は、第三ギヤ４７及びロック機構６０の軸方向Ｌにおける位置によらずに、少なくとも第一ギヤ４５よりも軸第一方向Ｌ１側に配置されれば良い。なお、ロック機構６０の係合爪６２に噛み合う第三ギヤ４７が、変速機構ＴＭに形成された構成としても良い。
【００６７】
（１０）その他の構成に関しても、本明細書において開示された実施形態は全ての点で例示であって、本発明の実施形態はこれに限定されない。すなわち、本願の特許請求の範囲に記載されていない構成に関しては、本発明の目的を逸脱しない範囲内で適宜改変することが可能である。
【産業上の利用可能性】
【００６８】
本発明は、１モータパラレル方式のハイブリッド車両用の駆動装置に利用することができる。
【符号の説明】
【００６９】
１        ：車両用駆動装置
２        ：ケース
３        ：インバータ装置
２２ａ    ：第一接合面（接合面）
２９ａ    ：第三接合面（接合面）
４１      ：軸部材
４５      ：第一ギヤ
４６      ：第二ギヤ
４７      ：第三ギヤ
６０      ：ロック機構
Ｅ        ：内燃機関
Ｉ        ：入力軸（入力部材）
ＭＧ      ：回転電機
ＴＭ      ：変速機構
Ｇｏ      ：変速出力ギヤ
Ｃ        ：ギヤ機構
ＤＦ      ：差動歯車装置
Ｇｉ      ：差動入力ギヤ
Ｏ        ：出力軸（出力部材）
Ｗ        ：車輪
Ａ１      ：第一軸
Ａ２      ：第二軸
Ａ３      ：第三軸
Ｌ        ：軸方向
Ｈ        ：水平方向
Ｖ        ：鉛直方向
Ｒ１      ：第一基準線
Ｒ２      ：第二基準線
Ｒ３      ：第三基準線
Ｒ４      ：第四基準線
Ｒ５      ：第五基準線
【図１】
2014024489.tif 000003
【図２】
2014024489.tif 000004
【図３】
2014024489.tif 000005
【図４】
2014024489.tif 000006
【図５】
2014024489.tif 000007
【図６】
2014024489.tif 000008
【図７】
2014024489.tif 000009
【図８】
2014024489.tif 000010
【図９】
2014024489.tif 000011
【図１０】
2014024489.tif 000012